(57)【要約】【課題】装着耐久性を向上できるまつげエクステンションの取付け方法を提供する。【解決手段】まつげエクステンション１００の取付け方法であり、先端部１１と末端部１５とを有する人工まつげ本体部１０を用意した後、人工まつげ本体部１０の末端部１５に接着剤２０を塗布し、次いで、末端部１５に接着剤２０が塗布された状態で、人工まつげ本体部１０を接着剤２０でまつげ５０に付け、そして、紫外線ランプ９０によって、接着剤２０および人工まつげ本体部１０（１５）に紫外線９５を照射する。そして、照射する工程において、接着剤２０およびまつげ５０に風を吹き付けることを実行する。【選択図】図１
2019094607.tif 000002
【特許請求の範囲】
【請求項１】
まつげエクステンションの取付け方法であって、
先端部と末端部とを有する人工まつげ本体部を用意する工程と、
前記人工まつげ本体部の前記末端部に接着剤を塗布する工程と、
前記人工まつげ本体部の前記末端部に前記接着剤が塗布された状態で、前記人工まつげ本体部を前記接着剤でまつげに付ける工程と、
紫外線ランプによって、前記接着剤および前記人工まつげ本体部に紫外線を照射する工程と
を含み、
前記照射する工程において、前記接着剤および前記まつげに風を吹き付けることを実行する、まつげエクステンションの取付け方法。
【請求項２】
前記人工まつげ本体部は、ポリブチレンテレフタレートから構成されており、
前記人工まつげ本体部の断面は円形形状を有している、請求項１に記載の取付け方法。
【請求項３】
前記照射する工程において、前記紫外線の照射時間は、１秒以上９０秒以下であり、
前記接着剤は、紫外線硬化樹脂を含まないまつげエクステンション用接着剤である、請求項１または２に記載の取付け方法。
【請求項４】
前記人工まつげ本体部をまつげに付ける工程、および、前記照射する工程は、同一工程で実行される、請求項１から３の何れか一つに取付け方法。
【請求項５】
前記照射する工程において、前記接着剤および前記まつげに風を吹き付けるとともに、前記接着剤および前記まつげの周辺の空気を吸引することを実行する、請求項１から４の何れか一つに取付け方法。
【請求項６】
前記人工まつげ本体部は、黒色、ダークブラウン、パープル、ブルー、ピンク、シルバー、グリーン、ライトオレンジ、ライトゴールド、レッド、ワインレッド、ホワイトおよびイエローからなる群から選択される色で着色されている、請求項１から５の何れか一つに取付け方法。
【請求項７】
まつげの長さを延長するまつげエクステンションであって、
先端部と末端部とを有する人工まつげ本体部を備え、
前記人工まつげ本体部の末端部の径は、先端部の径よりも太く、
前記人工まつげ本体部は、樹脂から構成されており、
前記人工まつげ本体部は、接着剤によって前記まつげに装着されており、
前記接着剤および前記人工まつげ本体部は、紫外線ランプによる紫外線の照射をうけており、かつ、
前記接着剤は、前記紫外線の照射および前記まつげに風を吹き付けることによって硬化された状態となっている、まつげエクステンション。
【請求項８】
前記樹脂は、ポリブチレンテレフタレートであり、
前記人工まつげ本体部の断面は円形形状を有している、請求項７に記載のまつげエクステンション。
【請求項９】
前記接着剤は、紫外線硬化樹脂を含まないまつげエクステンション用接着剤であり、
前記人工まつげ本体部は、黒色、ダークブラウン、パープル、ブルー、ピンク、シルバー、グリーン、ライトオレンジ、ライトゴールド、レッド、ワインレッド、ホワイトおよびイエローからなる群から選択される色で着色されている、請求項７または８に記載のまつげエクステンション。
【発明の詳細な説明】
【技術分野】
【０００１】
本発明は、まつげエクステンションの取付け方法に関し、特に、装着耐久性が向上したまつげエクステンションの取付け方法に関する。本発明はまた、装着耐久性が向上したまつげエクステンションに関する。
【背景技術】
【０００２】
まつげに長さやボリュームを与え、より大きく、美しく、魅力的な目元を演出するためのアイテムの一つとして、つけまつげがある。つけまつげは、複数本の人工まつげを一纏めにして、その末端に接着部を設け、その接着部を使用者のまぶたに付けることによって、使用者のまつげに長さやボリュームを与えることができる（例えば、特許文献１、２など）。つけまつげは、使用者の皮膚に接着するため、装着感が悪く、場合によっては皮膚がかぶれるおそれがある。
【０００３】
これに対して、近年では、一本のまつげとほぼ同等の形状で長さや太さにボリュームを持たせた所謂まつげエクステンションと呼ばれる人工まつげが提案されている（例えば、特許文献３など）。このまつげエクステンション（人工まつげ）は、まぶたには接着せずに、接着剤を用いてまつげに直接接着するため、装着感が良く、皮膚がかぶれるおそれが少ない。また、まつげエクステンションは、まつげ一本に対して一本ずつ接着するので、つけまつげに比べて自然な感じでまつげに長さやボリュームを与えることができる。
【先行技術文献】
【特許文献】
【０００４】
【特許文献１】特開２００８−２３１６３２号公報
【特許文献２】特開２００５−１４６５００号公報
【特許文献３】特開２０１０−２４５７９号公報
【特許文献４】実用新案登録第３１６８６５９号公報
【特許文献５】実用新案登録第３１７０２８５号公報
【発明の概要】
【発明が解決しようとする課題】
【０００５】
まつげエクステンションは、直接まぶたには装着しないので、つけまつげと比較して、皮膚がかぶれるおそれが少ない。そして、つけまつげは、直接まぶたに接着剤を付けることから、毎回取り外して、使い捨てを行うことが多い。一方で、まつげエクステンションは、皮膚がかぶれるおそれが少ないことと、つけまつげと比較すると取付費用が高いことから、まつげにつけたままにしておくことが多い。そこで、まつげエクステンションは常時まつげに装着しているものであることから、できるだけまつげから外れないという装着耐久性が向上することが好ましい。
【０００６】
本願発明者は、まつげエクステンションの接着剤の付きが良くなることを目的として、次のようなまつげエクステンションを開発した（特許文献４、特許文献５）。これらのまつげエクステンションは、人工まつげ本体部の断面を多角形形状にしたり（特許文献４）、人工まつげ本体部の表面を凹凸のあるザラザラした表面にすること（特許文献５）によって、接着剤の付きがよくなるようにしている。しかしながら、これらの特殊なまつげエクステンションを作製する場合は、それ専用の特殊な製造方法を用いる必要がある。
【０００７】
本願発明者は、特許文献４および５に示した特殊な技術を用いずに、また、通常のまつげエクステンション接着剤（グルー）を用いて、まつげエクステンションの装着耐久性を向上させることができないかを鋭意検討・実験して、まつげエクステンションの装着耐久性を向上させることに成功し、本発明に至った。
【０００８】
本発明はかかる点に鑑みてなされたものであり、その主な目的は、装着耐久性を向上させることができるまつげエクステンションの取付け方法を提供することにある。
【課題を解決するための手段】
【０００９】
本発明に係るまつげエクステンションの取付け方法は、先端部と末端部とを有する人工まつげ本体部を用意する工程と、前記人工まつげ本体部の前記末端部に接着剤を塗布する工程と、前記人工まつげ本体部の前記末端部に前記接着剤が塗布された状態で、前記人工まつげ本体部を前記接着剤でまつげに付ける工程と、紫外線ランプによって、前記接着剤および前記人工まつげ本体部に紫外線を照射する工程とを含む。
【００１０】
ある好適な実施形態において、前記人工まつげ本体部は、ポリブチレンテレフタレートから構成されており、前記人工まつげ本体部の断面は円形形状を有している。
【００１１】
ある好適な実施形態では、前記照射する工程において、前記紫外線の照射時間は、１秒以上９０秒分以下であり、前記接着剤は、紫外線硬化樹脂を含まないまつげエクステンション用接着剤である。
【００１２】
ある好適な実施形態では、前記人工まつげ本体部をまつげに付ける工程、および、前記照射する工程は、同一工程で実行され、前記照射する工程において、前記接着剤および前記まつげに風を吹き付けることを実行する。
【００１３】
ある好適な実施形態において、前記人工まつげ本体部をまつげに付ける工程、および、前記照射する工程は、同一工程で実行され、前記照射する工程において、前記接着剤および前記まつげに風を吹き付けることを実行する。
【００１４】
ある好適な実施形態において、前記人工まつげ本体部は、黒色、ダークブラウン、パープル、ブルー、ピンク、シルバー、グリーン、ライトオレンジ、ライトゴールド、レッド、ワインレッド、ホワイトおよびイエローからなる群から選択される色で着色されている。
【００１５】
本発明に係るまつげエクステンションは、まつげの長さを延長するまつげエクステンションであり、先端部と末端部とを有する人工まつげ本体部を備え、前記人工まつげ本体部の末端部の径は、先端部の径よりも太く、前記人工まつげ本体部は、樹脂から構成されており、前記人工まつげ本体部は、接着剤によって前記まつげに装着されており、前記接着剤および前記人工まつげ本体部は、紫外線ランプによる紫外線の照射をうけており、前記接着剤は、紫外線硬化樹脂を含まないまつげエクステンション用接着剤である。
【００１６】
ある好適な実施形態において、前記樹脂は、ポリブチレンテレフタレートであり、前記人工まつげ本体部の断面は円形形状を有している。
【００１７】
ある好適な実施形態において、前記人工まつげ本体部は、黒色、ダークブラウン、パープル、ブルー、ピンク、シルバー、グリーン、ライトオレンジ、ライトゴールド、レッド、ワインレッド、ホワイトおよびイエローからなる群から選択される色で着色されている。
【発明の効果】
【００１８】
本発明に係るまつげエクステンションの取付け方法によれば、人工まつげ本体部を接着剤でまつげに付けた後に、紫外線ランプによって接着剤および人工まつげ本体部に紫外線を照射することで、まつげエクステンションの装着耐久性を向上させることができる。すなわち、特殊な製造方法を用いて作製したまつげエクステンションを用いなくても、接着剤に紫外線の照射することで、まつげエクステンションの装着耐久性を向上させることができる。
【図面の簡単な説明】
【００１９】
【図１】（ａ）から（ｃ）は、本発明の実施形態に係る取付け方法において、まつげエクステンション１００をまつげ５０に取り付ける方法を説明する図である。
【図２】本発明の実施形態に係る取付け方法において、まつげエクステンション１００Ｂを取り付けた様子を示す図である。
【図３】本発明の実施形態に係る取付け方法を説明するためのフローチャートである。
【図４】本発明の実施形態に係るまつげエクステンション１００の構成を示す斜視図である。
【図５】図４中のＡ−Ａ線に沿ったまつげエクステンション１００の断面図である。
【図６】図４中のＢ部分におけるまつげエクステンション１００の断面図である。
【図７】まつげエクステンション１００をまつげ５０に取り付ける様子を示す図である。
【図８】紫外線ランプ９０にて紫外線９５をまつげエクステション１００に照射する様子を示す図である。
【図９】まつげエクステンション１００（１００Ｂ）を上まつげ５０に取り付けた状態を示す図である。
【図１０】まつげエクステンション１１０の構成を示す斜視図である。
【図１１】図１０中のＡ−Ａ線に沿ったまつげエクステンション１１０の断面図である。
【図１２】図１０中の矢印６５に沿ったまつげエクステンション１１０の一部の側面図である。
【図１３】まつげエクステンション１２０の構成を示す斜視図である。
【図１４】図１３中のＡ−Ａ線に沿ったまつげエクステンション１１０の断面図である。
【図１５】図１３中のＢ部分におけるまつげエクステンション１００の断面図である。
【図１６】（ａ）から（ｃ）は、まつげエクステンション１００をまつげ５０に取り付ける方法を説明する図である。
【発明を実施するための形態】
【００２０】
本発明の実施形態に係るまつげエクステンション（以下、「まつげエクステ」または「エクステ」と称する）の取付け方法の説明の前に、図１６を参照しながら、本願発明者が検討した取付け方法について説明する。
【００２１】
図１６（ａ）から（ｃ）は、まつげエクステ１００を、使用者５５のまつげ５０に取り付ける方法を説明する図である。まず、図１６（ａ）に示すように、まつげエクステ１００（人工まつげ本体部１０）の一部をピンセット６０で掴み、そしてエクステ１００の末端部１５に接着剤（グルー）２０を塗布した状態で、まつげエクステ１００をまつげ５０の近くに持っていく。
【００２２】
次に、図１６（ｂ）に示すように、まつげエクステ１００の接着剤２０をまつげ５０に付けて、まつげエクステ１００をまつげ５０に密着させる。そして、接着剤２０が硬化して、まつげエクステ１００がまつげ５０に固定されたならば、図１６（ｃ）に示すように、ピンセット６０を外して、まつげエクステ１００の取り付けが完了する。この作業を各まつげ５０について行う。
【００２３】
まつげエクステ１００の不満の一つとして、まつげエクステ１００の装着耐久性が悪いという問題がある。これは、つけまつげは、費用が安く、毎回（毎日）取り外す（または使い捨て）のに対して、まつげエクステ１００の場合、常時、まつげに装着させているので、２週間を超えたあたりから、外れるまつげエクステ１００が何本かでてくるからである。実際には、毎日取り外すつけまつげと比較して、装着耐久性が悪いというわけでないが、ユーザの希望は、一日でも長く、一本でも多くまつげエクステ１００が装着されていることであるので、本願発明者はその要望に叶えるように日々努力している。
【００２４】
まつげエクステ１００の装着耐久性を向上させるには、図１６（ａ）の段階で、まつげ５０の表面をきれいにし、特に油分をまつげ５０から拭き取ることが効果的である。しかし、十分スキルを持った施術者であれば、それは徹底しているはずである。また、強力な接着剤２０を用いて、まつげエクステ１００をまつげ５０に装着し、接着力を上げることで装着耐久性をあげることも効果的である。しかし、十分スキルを持った施術者であれば、各種のまつげエクステ１００にあった最適の接着剤を選択しているのが実情である。
【００２５】
そのような中、本願発明者は、装着耐久性を向上させるための実験や手法をいろいろ試している中、太陽光に当たりながら、接着剤（グルー）２０を硬化させてみたところ、その硬化状態に違いがあることに気付いた。そのまつげエクステ１００の装着耐久性を調べてみたら、向上していることがわかった。また、温度湿度の影響を受けない紫外線ランプ（ＵＶランプ）を照射してみた結果、同様に、まつげエクステ１００の装着耐久性の向上が確認された。
【００２６】
さらに、まつげエクステ１００の装着耐久性が向上したということは、接着剤２０は短時間で理想的な硬化をしたと判断できる。接着剤２０の適切な硬化は、皮膚（まぶた等）や目への刺激性を低下させる可能性があると推測されるので、当該理想的な硬化の手法は、まつげエクステ１００の施術時の皮膚や目のトラブルを減少させる可能性があると言える。
【００２７】
以下、図面を参照しながら、本発明の好適な実施形態を説明する。以下の図面においては、説明の簡潔化のために、同じ作用を奏する部材、部位には同じ符号を付し、重複する説明は省略または簡略化することがある。また、各図における寸法関係（長さ、幅、厚さ等）は、必ずしも実際の寸法関係を正確に反映していない場合がある。
【００２８】
また、本明細書において特に言及している事項以外の事柄であって本発明の実施に必要な事項は、当該分野における従来技術に基づく当業者の設計事項として把握され得る。本発明は、本明細書及び図面によって開示されている内容と当該分野における技術常識とに基づいて実施することができる。加えて、本発明は、以下の実施形態に限定されるものではない。
【００２９】
図１から図３を参照しながら、本発明の実施形態に係るまつげエクステの取付け方法について説明する。図１および図２は、まつげエクステ１００を、使用者５５のまつげ５０に取り付ける方法を説明する図である。図３は、本実施形態のまつげエクステの取付け方法を説明するためのフローチャートである。
【００３０】
まず、図１（ａ）に示すように、まつげエクステ１００（人工まつげ本体部１０）の一部をピンセット６０で掴み、そしてエクステ１００の末端部１５に接着剤（グルー）２０を塗布した状態で、まつげエクステ１００をまつげ５０の近くに持っていく。次に、図１（ｂ）に示すように、まつげエクステ１００の接着剤２０をまつげ５０に付けて、まつげエクステ１００をまつげ５０に密着させる。
【００３１】
次に、接着剤２０によってまつげエクステ１００をまつげ５０に固定した状態で、紫外線ランプ（ＵＶランプ）９０によって、接着剤２０および人工まつげ本体部に紫外線（９５）を照射する。紫外線（９５）を照射する時は、ピンセット６０でまつげエクステ１００をつまんで固定しておいてもよい。あるいは、ピンセット６０を使わなくても、接着剤２０でまつげエクステ１００がまつげ５０に固定しているのであれば、ピンセット６０を外してもよい。
【００３２】
すると、図２に示すように、ＵＶランプ９０の紫外線照射（９５）によって変性した接着剤２０Ｂになり、その箇所における末端部１５Ｂ（紫外線照射された箇所の末端部）が当該接着剤２０Ｂによってまつげ５０に固定される。このようにして、持続耐久性が向上したまつげエクステ１００Ｂが構築される。
【００３３】
図３に示したフローチャートを参照しながら、さらに説明すると、次の通りである。まず、まつげエクステ１００（人工まつげ本体部１０）を用意する（工程Ｓ１０）。本実施形態のまつげエクステ１００（人工まつげ本体部１０）は、樹脂から構成されており、その断面は円形形状（略円形形状）をしている。図１（ａ）に示したまつげエクステ１００（人工まつげ本体部１０）の詳細を図４から図６に示す。
【００３４】
図４は、本実施形態のまつげエクステ１００の構成を示す斜視図である。図５は、図４中のＡ−Ａ線に沿った断面図を示している。図６は、図４中のＢ部分における断面図を示している。
【００３５】
本実施形態のまつげエクステ１００は、人工まつげ本体部１０から構成されている。人工まつげ本体部１０は、まつげ型の形状を有しており、そして、人工まつげ本体部１０には、まつげ５０に取り付けた時に自然な角度になるようなカーブ（湾曲）が形成されている。具体的には、人工まつげ本体部１０の末端部１５の径（ここでは、直径）は、先端部１１の径（直径）よりも太い。人工まつげ本体部１０は、かるく湾曲しており、先端部１１のトップは尖っている。本実施形態の人工まつげ本体部１０の長さは、例えば５ｍｍ〜２０ｍｍであり、末端部１５の端面１５ａの直径（または厚さ）は例えば０．０７ｍｍ〜０．３ｍｍである。図５及び図６では、末端部１５における直径φを表記している。
【００３６】
本実施形態の構成では、人工まつげ本体部１０は、樹脂１２から構成されているが、本実施形態の人工まつげ本体部１０を構成する樹脂は、例えば、ポリブチレンテレフタレート、ポリエステル、アクリル、塩化ビニール、ナイロンから構成されている。この例の人工まつげ本体部１０は、ポリブチレンテレフタレート（ＰＢＴ）から構成されている。なお、人工まつげ本体部１０は、黒色の他、着色された材料から構成されていてもよい。人工まつげ本体部１０は、例えば、ダークブラウン、パープル、ブルー、ピンク、シルバー、グリーン、ライトオレンジ、ライトゴールド、レッド、ワインレッド、ホワイト、イエローなどの色にすることができ、それによって、カラーエクステンションを実現することが可能である。
【００３７】
また、本実施形態の人工まつげ本体部１０は、樹脂以外に、天然素材のものを使用できる場合がある。例えば、人工まつげ本体部１０は、獣毛（例えば、ミンクの毛）であるが、他の獣毛を用いても構わない。なお、樹脂由来のまつげエクステ以外のものとしては、ここで挙げた獣毛の他、動物由来の材料（典型的には、人毛、シルクなど）、植物由来の材料（典型的には綿）を使用することも可能である。また、タンパク質を含んだ化学繊維から構成された人工まつげ本体部１０を用いることも可能である。
【００３８】
本実施形態の人工まつげ本体部１０の断面は、図５に示すように、円形形状を有している。本実施形態の構成における「円形形状」は、幾何学的な意味での円形の形状（真円）に限らず、多少歪んでいても構わない。例えば、真円から見ると、楕円形状、長円形状などのものであっても構わない。本実施形態の例では、人工まつげ本体部１０の断面には、溝、山・谷のような凹凸は形成されておらず、人工まつげ本体部１０の断面は、なめらかな曲線からなる形状（略円形）となっている。
【００３９】
本実施形態のまつげエクステ１００を作製するには、以下のようにしたらよいが、作製されたものを購入して使用してもよい。
【００４０】
まず、人工まつげ本体部１０を構成する樹脂（例えば、ＰＢＴ）１２を準備し、その樹脂を金型から押し出す。金型には、人工まつげ本体部１０の形状（断面形状）を規定する開口部が形成されている。本実施形態では、図５に示すような円形形状を有する開口部を規定する金型を用いている。その金型を用いて樹脂１２を押し出すと、図５に示した断面形状を有する繊維状の材料が得られる。なお、上述したように、本実施形態の円形形状は、幾何学形状の円形（真円）に限らず、略円形のものであってよい。また、金型の開口部は、円形形状に近い略円形の形状のものでなく、扁平率の大きいもの（例えば、横広の楕円形または長円）にしても構わない。
【００４１】
次に、押し出しした繊維状の材料を、人工まつげ本体部１０の長さに切断する。すなわち、まつげエクステ１００の長さに切断する。切断するときは、所定長さで繊維状の材料をカッターで切断すればよい。その後、切断して所定の長さ（まつげエクステ１００の長さ）になった人工まつげ本体部１０の先端を薬品につけて、人工まつげ本体部１０の先端部１１を形成する。すなわち、樹脂１２を溶解させる薬品に人工まつげ本体部１０の一部（先端）をつけることで、樹脂１２の一部を溶解させて、人工まつげ本体部１０の径を細めて先端部１１を形成する。
【００４２】
その後、人工まつげ本体部１０にカーブ（湾曲）を形成して、まつげエクステ１００が得られる。人工まつげ本体部１０にカーブを形成するには、人工まつげ本体部１０を加熱して、人工まつげ本体部１０を曲げて、そして、その形を記憶（固定）させるようにすればよい。このようにして、本実施形態のまつげエクステ１００が得られる。
【００４３】
本実施形態のまつげエクステ１００を着色する場合には、樹脂１２に顔料を入れて、着色を行うことができる。樹脂１２の着色（または染色）は、黒色にすることができる他、例えば、ダークブラウン、パープル、ブルー、ピンク、シルバー、グリーン、ライトオレンジ、ライトゴールド、レッド、ワインレッド、ホワイト、イエローなどの色にすることができる。
【００４４】
次に、図１（ａ）に示すように、本実施形態のまつげエクステ１００では、末端部１５に接着剤（グルー）２０が付けられる（工程Ｓ２０）。本実施形態の接着剤は、まつげエクステション用の接着剤である。図１（ｃ）の段階で紫外線（ＵＶ）９５が照射されるのであるが、本実施形態の接着剤２０は、紫外線硬化樹脂からなる接着剤ではない。まつげエクステの施術の接着剤２０では、シアノアクリレート系接着剤を使用されるのが典型的であり、そして、本実施形態においても、接着剤２０として、シアノアクリレート系接着剤が使用される。
【００４５】
本実施形態の接着剤２０がシアノアクリレート系接着剤である場合、シアノアクリレート系接着剤は、メチル系（メチルシアノアクリレート）、エチル系（エチルシアノアクリレート）、ブチル系（ブチルシアノアクリレート）、オクチル系（オクチルシアノアクリレート）、メトキシ系（メトキシエチルシアノアクリレート）、エトキシ系（エトキシエチルシアノアクリレート）などの種類に分類可能で瞬間接着剤として使用できる。それらを所定割合でブレンドしたものも使用可能である。
【００４６】
まつげエクステ業界においては、刺激臭や皮膚粘膜への刺激性の弱いグルーとして、メトキシエチル系、エトキシエチル系、ブチル系を挙げることができる。これらのグルーは一般的に、低刺激で、硬化速度が遅く、粘性があるタイプのグルーである。一方、プロ用グルーとしては、エチル系、メチル系を挙げることができる。これらのグルーは、刺激が強く、硬化速度が速く、サラサラした液状のタイプのグルーが一般的である。まつげエクステ用の接着剤では、ほとんど、シアノアクリレート系の瞬間接着剤が使用されているが、ゼラチン−アルデヒド系接着剤、フィブリングルー系接着剤を挙げることができ、また、これ以外の接着剤（例えば、紫外線吸収剤（光硬化開始剤）を含む接着剤、紫外線硬化樹脂を含む接着剤など）の使用を禁止するものではない。
【００４７】
次に、図１（ｂ）に示すように、１本のまつげエクステ１００（人工まつげ本体部１０）を、接着剤２０によって１本のまつげ５０に付けていく（工程Ｓ３０）。この様子を、図７を参照しながらさらに説明する。
【００４８】
まつげエクステ１００は、一本一本、施術者６１がピンセット（具体的には、まつげエクステ用ツィーザー）６０を使いながら、施術される人（ユーザー）５５のまつげ５０に装着されていく。施術される人５５は、額にタオル５９をのせられたり、眼５１の周りに、テープ５７、５８を貼り付けられることが多い。そして、顔を上向きにした状態で、約１時間のまつげエクステ施術が行われる。
【００４９】
テープ５７、５８は、ピンセット（まつげエクステ用ツィーザー）６０の先端が施術される人５５の皮膚に当たらないように保護するものである。上まつげの上側（眼５１から見て外側）（または、下まつげの下側（眼５１から見て外側））にテープ５７（又は５８）を貼り付けるが、まつげ５０の内側の粘膜部には、テープ５７（又は５８）は貼り付けることはなしない。まつげエクステの施術の際において、施術される人（ユーザー）５５には、目を閉じてもらうように伝えているので、目に異物が入らないように運用されている。
【００５０】
次に、図１（ｃ）に示すように、紫外線ランプ（ＵＶランプ）９０によって、接着剤２０および人工まつげ本体部１０（末端部１５）に紫外線（９５）を照射する（工程Ｓ４０）。図７に対応させるようにして、ＵＶランプ９０の照射の様子を図８に示している。紫外線９５が目に入らないように、施術される人（ユーザー）５５には、目を閉じてもらうようにしている。また、薄目があいた時のことを考えて、ＵＶランプ９０の紫外線９５の照射方向は、額の側（頭側）から頬の側に向かっておこなうことが好ましい。
【００５１】
本実施形態の紫外線ランプ９０は、紫外線ＬＥＤ（紫外線を出射する発光ダイオード）９２を有する光源である。紫外線ランプ９０は、ＬＥＤのものでなくても、紫外線を発する光源（例えば、発光物質として水銀を備えた放電ランプ）であってもよい。また、紫外線ランプ９０は、紫外線だけを発するものでなく、紫外線を含んでいれば可視光を発するランプであっても構わない。
【００５２】
本実施形態のＵＶランプ（または、ＵＶライト）９０は、４００ｎｍ未満の波長（例えば、約３５０ｎｍ以上約４００ｎｍ未満の紫外光。典型的には、ピーク波長３６５ｎｍ）の照射光を発するものである。また、紫外および可視光の両方の領域の光を含むＵＶランプは、約３８５〜４１５ｎｍの波長（典型的には、ピーク波長３７５ｎｍ、または、ピーク波長４０５ｎｍ）の照射光を発するものである。また、本実施形態のＵＶランプ９０の出力（ワット数）は、例えば、５Ｗ〜５０Ｗであり、典型的には、９Ｗ、１２Ｗ，３６Ｗなどのものを使用することができる。ワット数が大きければ、照射光の強さは大きくなるが、ＵＶ硬化樹脂を硬化させるために使用するのではないので、適宜好適なものを採用したらよい。さらに、紫外線ランプ９０による紫外線９５の照射時間は、照射条件（例えば、紫外線ランプ９０の出力、照射範囲、接着剤２０／樹脂１２と紫外線ランプ９０との間の距離など）、使用する接着剤２０、まつげエクステ１００の本数などによって変化し得るが、約１秒以上約９０秒以下であり、典型的には、概ね１０秒〜９０秒である。なお、照射時間については、１本ずつ照射、複数本つけてからまとめて照射、連続して照射しっぱなしする等の手法によって、合計時間は大幅に変更するものである。
【００５３】
また、図７に示した装着工程（Ｓ３０）においては、接着剤２０の硬化促進および接着剤２０からの揮発物を吹き飛ばすために、送風機（エアブロア）を使用して風を（まつげ５０・まぶた５５の周辺）に吹き付けることが好ましい。この風を吹き付けるときに、紫外光９５の照射を行うと、接着剤２０の硬化促進にプラスの効果があることが確認された。したがって、図７に示した装着工程（Ｓ３０）と図８に示したＵＶ光照射工程（Ｓ４０）を、同時に（同一の工程にて）行うことが好ましい。
【００５４】
なお、図７に示した装着工程（Ｓ３０）においては、接着剤２０からの揮発物の影響を減らすために、吸引器（エアー吸引装置）によって、接着剤２０およびまつげ５０（まぶた５５の周辺）の周囲の空気を吸うようにすることも好ましい。また、上記のブロアの手法をあわせて、吹き付け・吸引を併用して、装着工程（Ｓ３０）を実行してもよい。
【００５５】
ＵＶ光照射工程（Ｓ４０）が終わると、図９に示すように、紫外線照射された接着剤２０Ｂによって固定されたまつげエクステ１００Ｂ（人工まつげ本体部１０Ｂ）によって、まつげエクステの施術が完了する（工程Ｓ５０）。図９は、上まつげ５０のそれぞれにまつげエクステ１００Ｂ（１００）を取り付けた様子を示しており、図９に示すように、数多くの１００Ｂ（１００）が上まつげ５０に取り付けられている。このような状態で１００Ｂ（１００）がなるべく長時間まつげ５０に付いていることが、使用者（ユーザ）５５によって好ましい。すなわち、装着持続性が優れているほど、使用者（ユーザ）５５の満足度は大きい。
【００５６】
＜実施例１＞
本願発明者は、図９に示した状態におけるまつげエクステの５０本の装着耐久性試験を行った。この装着耐久性試験は、実際に人に装着した結果を反映させる方が好ましい。そこで、機械的試験または人形試験ではなく、実際に人にまつげエクステを左右合計で５０本をまつげに接着し、接着状態を観察することで試験を行った。その結果を下記の表１に示す。
【表１】
2019094607.tif 000003
【００５７】
表１中の「比較例１」および「実施例１」のまつげエクステ１００（人工まつげ本体部１０）は、ポリブチレンテレフタレート（ＰＢＴ）製のまつげエクステンションであり、断面が円形（略円形）のものである。接着剤２０は、まつげエクステ用接着剤であり、そして、紫外線硬化タイプの接着剤ではない。「比較例１」は、まつげエクステの施術でＵＶ照射を行わずに装着した例（コントロールの実験例）であり、装着から１５日後の残存本数である。一方、「実施例１」は、まつげエクステの施術でＵＶ照射を行った本実施形態の手法の結果（実施例）であり、装着から１５日後の残存本数である。横軸の「Ａ」〜「Ｊ」は、それぞれ異なる被験者（１０名）である。
【００５８】
表１に示すように、１５日後の残存本数は、すべての被験者（Ａ〜Ｊ）において、実施例１の結果は、比較例１の結果を上回った。持続向上率で比較すると、「実施例１」は「比較例１」に対して、１１９％〜１４２％の向上を示した。つまりは、１２０％〜１４０％程度の装着耐久性の向上が確認された。
【００５９】
被験者Ｅについて述べると、比較例１では、１５日後に１３本も外れてしまったのに対し（１３本／５０本＝２６％の減少）、実施例１では、１５日後に６本しか外れず（６本／５０本＝１２％の減少）、外れた割合は半分未満である。同様に、被験者Ｈについて述べると、比較例１では、１５日後に１２本も外れてしまったのに対し（１２本／５０本＝２４％の減少）、実施例１では、１５日後に４本しか外れず（４本／５０本＝８％の減少）、外れた割合は１／３以下である。すなわち、本実施形態の手法（実施例１）によれば、外れる割合は、１／２以下（または、１／３以下）にすることができる。
【００６０】
＜実施例２＞
本願発明者は、接着剤２０が紫外線を多く吸収すれば、より持続率がアップするとの仮説に基づいて、接着剤２０の中に紫外線吸収剤（光硬化開始剤）を入れて、その接着剤（紫外線吸収剤入りの接着剤）で、実施例１の同様の実験を、実施例２として行った。その結果を下記の表２に示す。「比較例２」および「実施例２」は、装着から１５日後の残存本数であり、横軸の「Ａ」〜「Ｊ」は、それぞれ、実施例１と同じ被験者（１０名）である。
【表２】
2019094607.tif 000004
【００６１】
表２に示すように、１５日後の残存本数は、すべての被験者（Ａ〜Ｊ）において、実施例２の結果は、比較例２の結果を上回った。持続向上率で比較すると、「実施例２」は「比較例２」に対して、１２０％〜１４２％の向上を示した。
【００６２】
ここで、表１（実施例１）と表２（実施例２）を比較したら、ほぼ同じ結果となった。本願発明者は、紫外線吸収剤を入れて接着剤による紫外線の吸収力を高めたら、持続向上率があがると推測したが、実際には、紫外線吸収剤を入れても入れなくても、ほぼ同様の持続向上率のアップ、つまりは装着耐久性の向上という結論となった。
【００６３】
なぜ、まつげエクステの装着時に紫外線を照射すると、装着耐久性が向上するかの理由についての機構（メカニズム）は正直わからない。紫外線吸収剤を入れても入れなくても、ほぼ同様の装着耐久性の向上が見られたということからは、接着剤中に紫外線が吸収されることの作用ではなく、紫外線の照射が、まつげエクステ用グルー（接着剤）の硬化状態に変化を与えて、より理想的な硬化状態へと導いたことではないかと推論される。詳細な持続力アップのメカニズムはわからなくても、本実施形態の手法によって、まつげエクステ１００が装着耐久性を向上させることができたのは事実である。このことは、特殊な製造方法を用いて作製したまつげエクステを用いなくても、接着剤に紫外線の照射することで、まつげエクステの装着耐久性を向上させることができることを意味するので、まつげエクステ業界における技術的意義は極めて大きい。
【００６４】
本実施形態に係るまつげエクステ１００の取付け方法によれば、人工まつげ本体部１０を接着剤２０でまつげ５０に付けた後に、紫外線ランプ９０によって接着剤２０および人工まつげ本体部１０に紫外線（９５）を照射することで、まつげエクステンション１００（１００Ｂ）の装着耐久性を向上させることができる。すなわち、特殊な製造方法を用いて作製したまつげエクステンションを用いなくても、接着剤に紫外線の照射することで（つまりは、ＵＶ照射するだけで）、まつげエクステンションの装着耐久性を向上させることができる。
【００６５】
なお、図５に示したまつげエクステ１００では、断面が円形であるものを示したが、それに限らず、まつげエクステ１００の断面を多面形（六角形、八角形など）に改変することも可能であるし、断面を星形（六角形の星形、八角形の星形）にすることも可能である。具体的には、図１０から図１２に示すように、溝３４が形成された多角形の星形形状のまつげエクステ１１０にすることができる。
【００６６】
図１０は、本実施形態のまつげエクステ１１０の構成を示す斜視図である。図１１は、図１０中のＡ−Ａ線に沿った断面図を示している。図１２は、図１０中のＢ部分における拡大側面図を示している。
【００６７】
本実施形態のまつげエクステ１１０では、人工まつげ本体部１０の延長方向６５に沿って溝３４が延びている。また、図１１に示すように、人工まつげ本体部１０の断面は、正八角形の構造を有しており、各頂点３２の間に溝３４が形成されている。より具体的には、人工まつげ本体部１０の断面の頂点３２は、正八角形の頂点に位置している。したがって、頂点３２は４５°ごとに形成されている。０°と９０°との間の部分で説明すると、０°と４５°と９０°の位置に頂点３２が位置しており、０°と４５°との頂点の間に溝３４が設けられ、そして、４５°と９０°との頂点の間にも溝３４が設けられている。なお、断面の星形は、六角形でも五角形でも四角形でも、又は三角形を採用しても構わない。
【００６８】
人工まつげ本体部１０に形成される溝３４の深さＴは、太さを１００とした場合に、例えば２０から４０（典型的には３０）にすることができる。本実施形態の構成では、溝３４は、根本部（末端部）１５の端面１５ａから先端部１１まで形成されている。ただし、必ずしも先端部１１の先まで溝３４を形成しなくてもよく、少なくとも根本部１５に形成されていればよい。これは、まつげエクステ１１０の製造方法によっては、径が細くなる先端部１１において溝３４が消えてしまうことがあるからである。
【００６９】
本実施形態のまつげエクステ１１０では、例えば、溝３４は、根本部１５から、根本部１５の端面１５ａと先端部１１との中間に位置する中間点まで延ばすようにすることができる。なお、まつげエクステ１１０の製造方法によっては、根本部１５の端面１５ａの位置では、人工まつげ本体部１０の一部が溶けて溝３４が消えた構造になることもある。したがって、根本部１５の部分に溝３４が形成されていても、根本部１５の端面１５ａの箇所に溝３４が形成されていなくてもよい。
【００７０】
本実施形態のまつげエクステ１１０では、人工まつげ本体部１０における根本部の断面は、頂点３２の間に溝３４が位置する多角形状を有している。したがって、人工まつげ本体部１０の多角形状の溝３４によって、接着剤２０を保持することが容易となり、使用者のまつげ５０と人工まつげ本体部１０との接着性を良好にすることができる。すなわち、上述したまつげエクステ１００の効果に加えて、さらに接着性を良好にすることができる。
【００７１】
また、多角形の断面の頂点３２の間に溝３４が位置しているので、１つの方向だけでなく他の方向からでも、接着剤を保持した溝３４を使って、人工まつげ本体部１０をまつげ５０に接着させることができる。さらに、人工まつげ本体部１０には複数本の溝３４が形成されているので、溝３４が形成されていないものと比較すると、まつげエクステ１１０の重さ（質量）を軽くすることができる。まつげエクステ１００の一本一本の重さは軽くても、それらは使用者のまつげに取り付けられるものであるから、まつげエクステ１１０の重さを軽くできることは、使用者（ユーザ）の使用感に影響を与えることができ、その結果、つけ心地の感じのよいまつげエクステ１１０を実現することができる。本実施形態のまつげエクステ１１０では、人工まつげ本体部１０の太さや溝３４の深さＴにも依存するが、複数の溝３４がないものと比較して、まつげエクステの重さを例えば１０％〜７０％程度軽くすることが可能である。
【００７２】
次に、図１に示したまつげエクステ１００では、人工まつげ本体部１０の表面１０ａに凹凸部やザラザラ部が形成されていないものを示したが、それに限らず、まつげエクステ１００の表面１０ａに凹凸部やザラザラ部が形成されているものに改変することも可能である。具体的には、図１３から図１５に示すように、ザラザラした表面部４０を有するまつげエクステ１２０にすることができる。
【００７３】
図１３は、本実施形態のまつげエクステ１２０の構成を示す斜視図である。図１４は、図１３中のＡ−Ａ線に沿った断面図を示している。図１５は、図１３中のＢ部分における拡大断面図を示している。
【００７４】
本実施形態のまつげエクステ１２０では、人工まつげ本体部１０の長手方向における中間点よりも根本部（末端部）１５の端面１５ａ側に、ザラザラした表面部４０が形成されている。特に、ザラザラした表面部４０は、まつげ５０と接する領域に形成されていればよく、接着剤２０が付与される箇所だけに選択的に形成することも可能である。
【００７５】
本実施形態のザラザラした表面部４０は、複数の粒状の凹凸４１を含んでいる。この粒状の凹凸４１からなるザラザラした表面部４０は、根本部１５の全周にわたって形成されている。したがって、根本部１５の表面の全方位において、ザラザラした表面部４０が形成されており、接着剤２０を何れの方向から根本部１５に付与しても、ザラザラした表面部４０の上に塗布することができる。
【００７６】
本実施形態の構成において、人工まつげ本体部１０におけるザラザラした表面部４０は、フロスト加工を施すことによって形成されている。言い換えると、人工まつげ本体部１０には、フロスト加工によって生じた凹凸４１が形成されている。フロスト加工とは、表面を霜のようにザラザラさせる加工（または、磨りガラスのようにザラザラされる加工）のことをいい、本実施形態では、サンドブラストによって人工まつげ本体部１０に凹凸４１を形成する。サンドブラストは、表面に砂などの研磨材を吹き付ける加工方法のことである。例えば、人工まつげ本体部１０の根本部１５に、コンプレッサによる圧縮空気に研磨剤を混ぜて吹き付けることにより、当該根本部１５にザラザラした表面部４０を形成することができる。サンドブラストに使用するサンド（研磨材）は、いわゆる砂に限らず、人工まつげ本体部１０に凹凸４１を形成するのに適した研磨剤を使用することができる。
【００７７】
本実施形態の凹凸４１の深さ（凸部から凹部までの高さの差）は、例えば、０．０１ｍｍ〜０．１ｍｍ程度であるが、それに限定されるものではない。具体的には、ザラザラした表面部４０を形成するために使用したフロスト加工（例えば、サンドブラスト）の条件によって決定されるとともに、使用するフロスト加工にあわせて適宜好適な凹凸４１を形成することが可能である。
【００７８】
加えて、人工まつげ本体部１０に貫通孔を形成して、その貫通孔によって、ザラザラした表面部４０を形成することも可能である。その場合には、凹凸４１を構成する貫通孔の長さは、人工まつげ本体部１０の直径φに相当するものになる。また、貫通孔を形成した場合には、まつげエクステ１２０の重さ（質量）を軽くすることができるという利点も得られる。まつげエクステ１２０の一本一本の重さは軽くても、それらは使用者のまつげに取り付けられるものであるから、まつげエクステの重さを軽くできることは、使用者（装着者）の装着感に影響を与えることができ、その結果、つけ心地の感じのよいまつげエクステを実現することができる。
【００７９】
本実施形態のザラザラした表面部４０は、ヤスリ（具体的には、紙ヤスリ）を擦りつけることによって形成することができる。紙ヤスリは、研磨加工に用いる紙状のシートに研磨材を塗布した工具である。紙ヤスリによって、ザラザラした表面部４０を形成する場合、使用する紙ヤスリの粗さ（番手）によって、ザラザラした表面部４０の凹凸４１の形状・深さなどを調整することができる。
【００８０】
人工まつげ本体部１０の根本部１５にザラザラした表面部４０を形成する場合、多数の人工まつげ本体部１０を揃えて、次いで、サンドブラストを根本部１５に施すことにより、一度の処理で、ザラザラした表面部４０を有する人工まつげ本体部１０を多数形成することができる。また、多数の人工まつげ本体部１０を揃えた状態で、根本部１５に紙ヤスリを施すことにより、一度の処理で、ザラザラした表面部４０を有する人工まつげ本体部１０を多数形成することも可能である。もちろん、一本の人工まつげ本体部１０に紙ヤスリを施して、ザラザラした表面部４０を形成しても構わない。
【００８１】
本実施形態のまつげエクステ１２０では、人工まつげ本体部１０の根本部１５はザラザラした表面部４０を有しているので、当該ザラザラした表面部４０によって、接着剤２０を保持することが容易となり、使用者のまつげ５０と人工まつげ本体部１０との接着性を良好にすることができる。すなわち、上述したまつげエクステ１００のＵＶ照射の効果（装着耐久性アップ）に加えて、さらに接着性を良好にすることができる。さらに説明すると、本実施形態のまつげエクステ１２０の場合、ザラザラした表面部４０により、平滑の場合の表面と比較して表面積が増えたことによって（あるいは、凹凸４１によって）接着剤２０の保持がよく、それゆえに、接着剤２０の付きがよい。
【００８２】
なお、図１０から図１５に示したまつげエクステ１１０及び１２０は、図４に示したまつげエクステ１００よりも更に接着力が増大するという利点がある。ただし、まつげエクステ１１０及び１２０を作る上での専用の作製工程を採用しなくても、通常の作製工程で作製したまつげエクステ（１００）をまつげ５０に装着する時にＵＶ照射をするだけで、装着持続力を発揮させるという点において、本実施形態の手法（取付け方法）の技術的意義は大きい。
【００８３】
また、上述した例では、人工まつげ本体部１０の形状を星形にしたり、ザラザラした表面４０にして、接着力を増すようにしたが、凹凸・ザラザラにするような人工まつげ本端部１０の改変（凹凸、ざらざら）は、加熱、加圧、レーザ照射などの手法を用いて線または線状のものを、人工まつげ本端部１０の表面に形成することによって行うことができる。凹凸・ざらざらのための線（線分）は、人工まつげ本端部１０の長手方向に沿って形成してもよいし、人工まつげ本端部１０の長手方向でない側の方向（例えば、円周方向、斜め方向）に形成してもよい。
【００８４】
以上、本発明を好適な実施形態により説明してきたが、こうした記述は限定事項ではなく、勿論、種々の改変が可能である。例えば、図９に示した例では、上まつげ５０にまつげエクステ１００（１００Ｂ）を装着したが、下まつげにまつげエクステ１００（１００Ｂ）を装着しても構わない。さらに、上述した例では、１本のまつげ５０に、１本のまつげエクステ１００を装着したが、複数本（２本とか３本、４本とか）の人工まつげ本体部１０が一つのまつげエクステ１００になった構成のものを、まつげ５０に装着してもよい。
【００８５】
また、図４に示したまつげエクステ１００の構造において、図１０及び図１３に示したまつげエクステ１１０及び１２０の特徴を追加してもよい。すなわち、人工まつげ本体部１０の形状を星形にして、さらにそれにザラザラした表面４０にしても構わないし、それらの一方または両方に、縦や横や斜め線分を形成した表面を組み合わせても構わない。
【産業上の利用可能性】
【００８６】
本発明によれば、装着耐久性を向上できるまつげエクステンションの取付け方法を提供することができる。
【符号の説明】
【００８７】
１０   人工まつげ本体部
１１   先端部
１２   樹脂
１５   末端部
２０   接着剤（まつげエクステ用グルー）
２０Ｂ 紫外線照射された接着剤
３１   凹凸
３２   頂点
３４   溝
４１   凹凸
５１   眼
５５   使用者（ユーザ）
５７、５８    テープ
５９   タオル
６０   ピンセット
６１   施術者
９０   紫外線ランプ（ＵＶランプ）
９５   紫外線
１００ まつげエクステンション（まつげエクステ）
１００Ｂ  紫外線照射されたまつげエクステンション
１１０、１２０  まつげエクステンション
【図１】
2019094607.tif 000005
【図２】
2019094607.tif 000006
【図３】
2019094607.tif 000007
【図４】
2019094607.tif 000008
【図５】
2019094607.tif 000009
【図６】
2019094607.tif 000010
【図７】
2019094607.tif 000011
【図８】
2019094607.tif 000012
【図９】
2019094607.tif 000013
【図１０】
2019094607.tif 000014
【図１１】
2019094607.tif 000015
【図１２】
2019094607.tif 000016
【図１３】
2019094607.tif 000017
【図１４】
2019094607.tif 000018
【図１５】
2019094607.tif 000019
【図１６】
2019094607.tif 000020